【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
映像表示装置において、
入力映像信号のうち、所定色相範囲に属する映像信号の色相を制御するための色相制御部と、該色相制御部で色相が制御された映像信号を表示する表示部とを備え、
前記色相制御部は、前記入力映像信号の輝度が所定値以上であり、かつ彩度が所定値以下の場合に前記所定色相範囲に属する映像信号の色相を制御することを特徴とする映像表示装置。
【請求項２】
映像表示装置において、
輝度が所定値以上でかつ彩度が所定以下の特定色相範囲の映像信号について、その色相を制御する色相制御部と、該色相制御部で色相が制御された映像信号を表示する表示部とを備えることを特徴とする映像表示装置。
【請求項３】
映像表示装置において、
入力映像信号の輝度を検出するための第１の検出部と、入力映像信号の彩度を検出するための第２の検出部と、入力映像信号のうち所定色相範囲に属する映像信号の色相を制御するための色相制御部と、該色相制御部で色相が制御された映像信号を表示する表示部とを備え、
前記色相制御部は、前記第１の検出部と前記第２の検出部との検出結果に応じて前記所定色相範囲に属する映像信号の色相を制御することを特徴とする映像表示装置。
【請求項４】
請求項３に記載の映像表示装置において、
前記色相制御部は、前記第１の検出部で検出された輝度が所定値以上であり、かつ前記第２の検出部で検出された彩度が所定値以下のときに前記色相制御を行うことを特徴とする映像表示装置。
【請求項５】
映像表示装置において、
入力映像信号の輝度を検出するための第１の検出部と、入力映像信号の彩度を検出するための第２の検出部と、入力映像信号のうち所定色相範囲に属する映像信号の色相を制御するための色相制御部と、入力映像信号のうち所定色相範囲に属する映像信号の彩度を制御するための彩度制御部と、該色相制御部で色相され、かつ前記彩度制御部で彩度が制御された映像信号を表示する表示部とを備え、
前記色相制御部は、前記第１の検出部と前記第２の検出部との検出結果に応じて前記所定色相範囲に属する映像信号の色相を制御し、前記彩度制御部は、前記第１の検出部と前記第２の検出部との検出結果に応じて前記所定色相範囲に属する映像信号の彩度を制御することを特徴とする映像表示装置。
【請求項６】
請求項５に記載の映像表示装置において、
前記色相制御部は、前記第１の検出部で検出された輝度が所定値以上であり、かつ前記第２の検出部で検出された彩度が所定値以下のときに前記色相制御を行い、前記彩度制御部は、前記第１の検出部で検出された輝度が所定値以上であり、かつ前記第２の検出部で検出された彩度が所定値以下のときに前記彩度制御を行うことを特徴とする映像表示装置。
【請求項７】
請求項６に記載の映像表示装置において、
前記色相制御部は、前記第１の検出部で検出された輝度が所定値以上であり、かつ前記第２の検出部で検出された彩度が所定値以下のときに、当該映像信号の色温度が高くなる方向に前記色相制御を行い、前記彩度制御部は、前記第１の検出部で検出された輝度が所定値以上であり、かつ前記第２の検出部で検出された彩度が所定値以下のときに当該映像信号の彩度を高くするように前記彩度制御を行うことを特徴とする映像表示装置。
【手続補正２】
【補正対象書類名】明細書
【補正対象項目名】００１９
【補正方法】変更
【補正の内容】
【００１９】
色相変換回路１８から出力されたデジタル色相信号は、色相補正回路２０に入力される。色相補正回路２０は、局部色相補正回路２０３と、加算器２０１及び２０２を有しており、入力されたデジタル色相信号のうち、特定範囲の色相を持つ信号を補正して出力する。色相補正回路２０において補正される色相信号の色相範囲及び補正量は、マイクロコンピュータ(以下、マイコンと呼ぶ)４０から出力される各種設定値によって決定される。また、彩度変換回路２１から出力されたデジタル彩度信号は、彩度補正回路２２に入力される。彩度補正回路２２は、彩度補正係数生成回路２２２と、乗算器２２１及び加算器２２３を有しており、入力されたデジタル彩度信号のうち、特定色相範囲の信号を補正して出力する。彩度補正回路において補正される彩度信号の彩度範囲及び補正量は、マイコン４０から出力される各種設定値によって決定される。
【手続補正３】
【補正対象書類名】明細書
【補正対象項目名】００２０
【補正方法】変更
【補正の内容】
【００２０】
色相補正回路２０によって補正されたデジタル色相信号(以下、補正色相信号と呼ぶ)と、彩度補正回路によって補正されたデジタル彩度信号(以下、補正彩度信号と呼ぶ)は、色温度補正回路２３に入力される。色温度補正回路２３は、本発明の主たる特徴部分であり、入力された補正色相信号及び補正彩度信号のうち、マイコン４０から供給される彩度上限設定値ＳＴ及び輝度下限設定値ＹＢで定められる所定輝度以上かつ所定彩度以下の白色系信号に対して、その色温度を高めるように色温度補正を行うものである。また、色温度補正回路２３は、補正色相信号について色温度補正を行う第１の色温度補正部２３１、該第１の色温度補正部２３１からの出力信号と補正色相信号(色相補正回路２０の出力信号)のいずれか一方を選択して出力する第１の選択回路、補正彩度信号について色温度補正を行う第２の色温度補正部２３５、該第１の色温度補正部２３５からの出力信号と補正彩度信号(彩度補正回路２２からの出力信号)のいずれか一方を選択して出力する第２の選択回路２３６とを有している。第１の選択回路２３２及び第２の選択回路２３６は、それぞれ入力映像信号が所定輝度以上で所定彩度以下の場合に、第１の色温度補正部２３１、及び第２の色温度補正部２３５の出力信号を選択して出力し、それ以外の場合は、補正色相信号及び補正彩度信号を選択して出力する。この第１の選択回路２３２及び第２の選択回路２３６における信号の選択動作は、検出回路１７から出力される制御信号に基づいて行われる。
【手続補正４】
【補正対象書類名】明細書
【補正対象項目名】００３７
【補正方法】変更
【補正の内容】
【００３７】
選択回路２３３２は、その第１の入力端子に入力された信号(第１の色相シフト係数生成回路２３４０からの出力信号)、第２の入力端子に入力された信号(第２の色相シフト係数生成回路２３４１からの出力信号)、及び第３の入力端子に入力された信号(第３の色相シフト係数生成回路２３４２からの出力信号)のうち、色相シフト量の最小または最大の信号を選択して出力する。選択回路２３３２における信号の選択動作は、入力端子２３２１を介して入力された、マイコン４０からの切替制御信号に従って制御される。選択回路２３３２が選択した信号の処理内容について、説明を容易にするために、選択回路２３３２が第１の入力端子に入力された信号を選択する場合を例にして、図９を用いて以下に説明する。図９は、第１の色温度補正部２３１における各部の入出力特性を示す。図９(ａ)は加算器２３２２の入出力特性で、色相オフセット値(HUEOFFSET)が０の場合を示している。図９(ｂ)は第１の色相シフト係数生成回路２３４０の入出力特性、図９(ｃ)は切替回路２３３５の入出力特性を示している。
【手続補正５】
【補正対象書類名】明細書
【補正対象項目名】００４５
【補正方法】変更
【補正の内容】
【００４５】
以上の通り、第１の色温度補正部２３１は、色相信号のうち、所定輝度(輝度下限設定値ＹＢ)以上かつ所定彩度(彩度上限設定値ＳＴ)以下の色相信号について、その色温度を高めるように、その色相を(青色の方向に)回転移動させるものである。